(57)【要約】【課題】情報提供ウェブサービスの仲介を行ったサービス仲介者が所定の手数料を適切に得ることができる仲介手数料の振向け自動判定方法を提供する。【解決手段】サービス利用者がアクセスしたサービス仲介者はサービス利用者に適切なサービス提供者を紹介すると共に利用者ＩＤを発行する。この利用者ＩＤはサービス提供者の識別コード及びサービス仲介者の識別コードを含む。サービス利用者は、紹介されたサービス提供者のウェブサイトにアクセスし、利用者ＩＤを用いて所望の情報提供ウェブサービスを利用すると共に利用料を支払う。サービス提供者は、サービス利用者の利用者ＩＤに含まれるサービス仲介者の識別コードをチェックし、その識別コードのサービス仲介者に対してサービス利用者の利用者ＩＤを通知すると共にサービス利用者から支払われた利用料の中から所定の手数料を支払う。【選択図】　図１
2004118632.tif 000002
【特許請求の範囲】
【請求項１】
ネットワークに接続されたウェブサーバを用いて情報提供ウェブサービスを行うサービス提供者と前記情報提供ウェブサービスを利用するサービス利用者との間に、前記情報提供ウェブサービスの仲介を行うサービス仲介者が介在する場合に、前記サービス利用者が支払う利用料の中から紹介料又は仲介料に相当する手数料を適切に前記サービス仲介者に支払うための方法であって、
（ａ）前記サービス利用者が端末を用いてアクセスしたサービス仲介者のサーバは、前記サービス利用者に適切なサービス提供者の情報と利用者ＩＤを送信し、該利用者ＩＤは前記サービス提供者の識別コード及び前記サービス仲介者の識別コードを含み、
（ｂ）前記サービス利用者が紹介されたサービス提供者のウェブサイトに端末を用いてアクセスし、前記利用者ＩＤを用いて所望の情報提供ウェブサービスを利用すると共に利用料を支払った際に、前記サービス提供者のサーバは、前記サービス利用者の利用者ＩＤに含まれる前記サービス仲介者の識別コードをチェックし、該識別コードのサービス仲介者のサーバに対して前記サービス利用者の利用者ＩＤを通知すると共に前記サービス利用者から支払われた利用料の中から所定の手数料を支払う処理を実行する
ことを特徴とする情報提供ウェブサービスの仲介手数料の振向け自動判定方法。
【請求項２】
ネットワークに接続されたウェブサーバを用いて情報提供ウェブサービスを行うサービス提供者と前記情報提供ウェブサービスを利用するサービス利用者との間に、前記情報提供ウェブサービスの仲介を行うサービス仲介者が１又は複数介在する場合に、前記サービス利用者が支払う利用料の中から紹介料又は仲介料に相当する手数料を適切に前記１又は複数のサービス仲介者に支払うための方法であって、
（ａ）前記サービス利用者が端末を用いてアクセスした１次サービス仲介者のサーバは、前記サービス利用者に適切なサービス提供者の情報と利用者ＩＤを送信し、該利用者ＩＤは前記サービス提供者の識別コード、前記１次サービス仲介者の識別コード及び２次以降のサービス仲介者の識別コードを所定の順番に含み、
（ｂ）前記サービス利用者が紹介されたサービス提供者のウェブサイトに端末を用いてアクセスし、前記利用者ＩＤを用いて所望の情報提供ウェブサービスを利用すると共に利用料を支払った際に、前記サービス提供者のサーバは、前記サービス利用者の利用者ＩＤに含まれる前記１次サービス仲介者の識別コードをチェックし、該識別コードの１次サービス仲介者のサーバに対して前記サービス利用者の利用者ＩＤを通知すると共に前記サービス利用者から支払われた利用料の中から所定の手数料を支払う処理を実行し、
（ｃ）前記１次サービス仲介者のサーバは、通知されたサービス利用者の利用者ＩＤに２次サービス仲介者の識別コードが含まれるか否かをチェックし、含まれる場合は該識別コードの２次サービス仲介者のサーバに対して前記サービス利用者の利用者ＩＤを通知すると共に前記サービス提供者から支払われた手数料の中から所定の手数料を支払う処理を実行し、
（ｄ）前記サービス利用者の利用者ＩＤを通知された２次以降のサービス仲介者のサーバは、前記ステップ（ｃ）に準ずる処理によって、下位のサービス仲介者のサーバに対して前記サービス利用者の利用者ＩＤを通知すると共に上位のサービス仲介者から支払われた手数料の中から所定の手数料を支払う処理を実行する
ことを特徴とする情報提供ウェブサービスの仲介手数料の振向け自動判定方法。
【請求項３】
前記情報提供ウェブサービスは、ＣＡＤデータの変換をウェブサーバを用いて行うＣＡＤデータ変換ウェブサービスであることを特徴とする
請求項１又は２記載の情報提供ウェブサービスの仲介手数料の振向け自動判定方法。
【請求項４】
ネットワークに接続されたウェブサーバを用いて情報提供ウェブサービスを行うサービス提供者のウェブサーバに実行させるコンピュータプログラムであって、
（ａ）前記情報提供ウェブサービスの利用を希望するサービス利用者の利用者ＩＤに含まれるサービスコードに基づいて所定の情報提供サービスを実行すると共にその利用料を算出して前記サービス利用者に請求し、
（ｂ）前記利用者ＩＤに含まれる前記サービス仲介者の識別コードをチェックし、該識別コードのサービス仲介者に対して前記サービス利用者の利用者ＩＤを通知すると共に前記サービス利用者から支払われた利用料の中から所定の手数料を支払う
処理を含むことを特徴とするコンピュータプログラム。
【請求項５】
ネットワークに接続されたウェブサーバを用いて情報提供ウェブサービスを行うサービス提供者と前記情報提供ウェブサービスを利用するサービス利用者との間に介在して前記情報提供ウェブサービスの仲介を行うサービス仲介者のウェブサーバに実行させるコンピュータプログラムであって、
（ａ）複数のサービス提供者をウェブページ上で紹介し、該ウェブページにアクセスして特定のサービス提供者による情報提供ウェブサービスを希望するサービス利用者に対して利用者ＩＤを発行し、該利用者ＩＤは前記サービス提供者の識別コード、前記サービス仲介者の識別コード及び前記サービス利用者によって指定されたサービス提供者に至る他のサービス仲介者の識別コードを順番に含み、
（ｂ）前記サービス提供者又は上位のサービス仲介者から手数料の支払いと共に通知された利用者ＩＤに下位のサービス仲介者の識別コードが含まれるか否かをチェックし、含まれる場合は該識別コードのサービス仲介者に対して前記サービス利用者の利用者ＩＤを通知すると共に前記サービス提供者又は上位のサービス仲介者から支払われた手数料の中から所定の手数料を支払う
処理を含むことを特徴とするコンピュータプログラム。
【発明の詳細な説明】
【０００１】
【発明の属する技術分野】
本発明は、情報提供ウェブサービスの仲介手数料の振向け自動判定方法に関する。詳しくは、ＣＡＤデータ変換ウェブサービスのような情報提供ウェブサービスを行うサービス提供者とサービス利用者との間で仲介を行うサービス仲介者が、紹介料又は仲介料に相当する手数料を適切に得ることができるようにするための方法及びウェブサーバに実行させるコンピュータプログラムに関する。
【０００２】
【従来の技術】
現在、ＣＡＤ（Ｃｏｍｐｕｔｅｒ−Ａｉｄｅｄ　Ｄｅｓｉｇｎ）の分野では多くのソフトウェアベンダーから種々のＣＡＤアプリケーションソフトウェアが提供されている。しかし、これらのＣＡＤアプリケーションソフトウェアの間でデータの互換性がほとんど無いために、ＣＡＤデータ変換の必要性が高くなっている。
【０００３】
そこで、インターネットに接続されたウェブサーバを用いてＣＡＤデータ変換サービス（以下、ＣＡＤデータ変換ウェブサービスという）を提供する業者（以下、サービス提供者という）が現れてきている。今後、ＣＡＤデータ変換の需要の高まりに応じて、多数のＣＡＤデータ変換ウェブサービスが開始されると予想される。
【０００４】
また、例えば特開２００２−１２３７２４号公報に開示されているようなＣＡＤデータ変換の仲介サービスをウェブ上で行う方法も提案されている。ＣＡＤデータ変換ウェブサービスを利用してＣＡＤデータの変換を希望する者（以下、サービス利用者という）とサービス提供者との間でＣＡＤデータ変換ウェブサービスの仲介を行う業者（以下、サービス仲介者という）も増加することが予想される。サービス利用者は通常、ポータルサイトであるサービス仲介者のウェブサイトにアクセスし、そのウェブサイトに登録されている複数のサービス提供者の中から最適のＣＡＤデータ変換ウェブサービスを選択することになる。
【０００５】
しかし、サービス提供者は、すべてのサービス仲介者のウェブサイトに登録すると登録費用が嵩む等の理由により、限られたサービス仲介者のウェブサイトのみに登録することが考えられる。一方、サービス利用者からみれば、１つのサービス仲介者のウェブサイト（ポータルサイト）からすべてのサービス仲介者の情報を取得できることが望ましい。
【０００６】
そこで、複数のサービス仲介者が自らのウェブサイトに登録しているサービス提供者の情報を共有し合えば、サービス利用者が１つのポータルサイトでより多くのサービス提供者の中から最適のＣＡＤデータ変換ウェブサービスを見つけることが可能になる。
【０００７】
【発明が解決しようとする課題】
１又は複数のサービス仲介者を介して紹介されたサービス提供者の提供するＣＡＤデータ変換ウェブサービスを利用したサービス利用者がその利用料をサービス提供者に支払った場合に、所定の手数料（紹介料又は仲介料）がサービス提供者からサービス仲介者に適切に支払われることが必要である。しかし、サービス提供者にとって、手数料を支払うべきサービス仲介者を特定することが困難な場合がある。特に、複数のサービス仲介者を介してＣＡＤデータ変換ウェブサービスがサービス利用者に紹介されたような場合は手数料の配分が分かりにくくなる。
【０００８】
このため、サービス仲介者にとっては、サービス提供者のＣＡＤデータ変換ウェブサービスをサービス利用者に紹介したにもかかわらず所定の手数料がサービス提供者から支払われないような場合が発生し得る。ＣＡＤデータ変換ウェブサービス及びその仲介サービスの健全な発展のためには、そのような場合が発生しないようにすることが重要である。
【０００９】
このような課題はＣＡＤデータ変換に限らず、ウェブサーバを用いて情報提供を行う各種の情報提供ウェブサービスに共通のものであり、将来そのような課題が大きくなると考えられる。そこで、本発明は上記のような課題に鑑みて、ＣＡＤデータ変換ウェブサービスのような情報提供ウェブサービスの仲介を行ったサービス仲介者が所定の手数料を適切に得ることができる仲介手数料の振向け自動判定方法と、その実施のためのコンピュータプログラムを提供することを目的とする。
【００１０】
【課題を解決するための手段】
本発明による情報提供ウェブサービスの仲介手数料の第１の振向け自動判定方法は、ネットワークに接続されたウェブサーバを用いて情報提供ウェブサービスを行うサービス提供者と前記情報提供ウェブサービスを利用するサービス利用者との間に、前記情報提供ウェブサービスの仲介を行うサービス仲介者が介在する場合に、前記サービス利用者が支払う利用料の中から紹介料又は仲介料に相当する手数料を適切に前記サービス仲介者に支払うための方法であって、（ａ）前記サービス利用者が端末を用いてアクセスしたサービス仲介者のサーバは、前記サービス利用者に適切なサービス提供者の情報と利用者ＩＤを送信し、該利用者ＩＤは前記サービス提供者の識別コード及び前記サービス仲介者の識別コードを含み、（ｂ）前記サービス利用者が紹介されたサービス提供者のウェブサイトに端末を用いてアクセスし、前記利用者ＩＤを用いて所望の情報提供ウェブサービスを利用すると共に利用料を支払った際に、前記サービス提供者のサーバは、前記サービス利用者の利用者ＩＤに含まれる前記サービス仲介者の識別コードをチェックし、該識別コードのサービス仲介者のサーバに対して前記サービス利用者の利用者ＩＤを通知すると共に前記サービス利用者から支払われた利用料の中から所定の手数料を支払う処理を実行することを特徴とする。
【００１１】
このような方法によれば、サービス提供者（のウェブサーバ）は、サービス利用者の利用者ＩＤに含まれるサービス仲介者の識別コードをチェックすることにより、所定の仲介手数料を確実に（自動的に）サービス仲介者に支払うことができる。これによって、サービス仲介者がサービス提供者をサービス利用者に紹介したにもかかわらず所定の手数料が得られないといったことがなくなる。
【００１２】
本発明による情報提供ウェブサービスの仲介手数料の第２の振向け自動判定方法は、ネットワークに接続されたウェブサーバを用いて情報提供ウェブサービスを行うサービス提供者と前記情報提供ウェブサービスを利用するサービス利用者との間に、前記情報提供ウェブサービスの仲介を行うサービス仲介者が１又は複数介在する場合に、前記サービス利用者が支払う利用料の中から紹介料又は仲介料に相当する手数料を適切に前記１又は複数のサービス仲介者に支払うための方法であって、（ａ）前記サービス利用者が端末を用いてアクセスした１次サービス仲介者のサーバは、前記サービス利用者に適切なサービス提供者の情報と利用者ＩＤを送信し、該利用者ＩＤは前記サービス提供者の識別コード、前記１次サービス仲介者の識別コード及び２次以降のサービス仲介者の識別コードを所定の順番に含み、（ｂ）前記サービス利用者が紹介されたサービス提供者のウェブサイトに端末を用いてアクセスし、前記利用者ＩＤを用いて所望の情報提供ウェブサービスを利用すると共に利用料を支払った際に、前記サービス提供者のサーバは、前記サービス利用者の利用者ＩＤに含まれる前記１次サービス仲介者の識別コードをチェックし、該識別コードの１次サービス仲介者のサーバに対して前記サービス利用者の利用者ＩＤを通知すると共に前記サービス利用者から支払われた利用料の中から所定の手数料を支払う処理を実行し、（ｃ）前記１次サービス仲介者のサーバは、通知されたサービス利用者の利用者ＩＤに２次サービス仲介者の識別コードが含まれるか否かをチェックし、含まれる場合は該識別コードの２次サービス仲介者のサーバに対して前記サービス利用者の利用者ＩＤを通知すると共に前記サービス提供者から支払われた手数料の中から所定の手数料を支払う処理を実行し、（ｄ）前記サービス利用者の利用者ＩＤを通知された２次以降のサービス仲介者のサーバは、前記ステップ（ｃ）に準ずる処理によって、下位のサービス仲介者のサーバに対して前記サービス利用者の利用者ＩＤを通知すると共に上位のサービス仲介者から支払われた手数料の中から所定の手数料を支払う処理を実行することを特徴とする。
【００１３】
このような方法によれば、サービス仲介者（のウェブサーバ）は、サービス提供者又は上位のサービス仲介者（のサーバ）から通知されたサービス利用者の利用者ＩＤに下位のサービス仲介者の識別コードが含まれているか否かをチェックし、含まれている場合は下位のサービス仲介者にサービス利用者の利用者ＩＤを通知すると共に所定の手数料を支払う。つまり、サービス利用者からサービス提供者に支払われた利用料の一部が複数のサービス仲介者に対していわばリレー式に支払われて行く。したがって、サービス利用者とサービス提供者の間に複数のサービス仲介者が介在する場合であっても、各サービス仲介者は所定の手数料を確実に（自動的に）得ることができる。
【００１４】
上記のような仲介手数料の振向け自動判定方法において、前記情報提供ウェブサービスの一例として、ＣＡＤデータの変換をウェブサーバを用いて行うＣＡＤデータ変換ウェブサービスを挙げることができる。
【００１５】
また、上記のような仲介手数料の振向け自動判定方法を実現するためにサービス提供者のウェブサーバに実行させるコンピュータプログラムは、（ａ）前記情報提供ウェブサービスの利用を希望するサービス利用者の利用者ＩＤに含まれるサービスコードに基づいて所定の情報提供サービスを実行すると共にその利用料を算出して前記サービス利用者に請求し、（ｂ）前記利用者ＩＤに含まれる前記サービス仲介者の識別コードをチェックし、該識別コードのサービス仲介者に対して前記サービス利用者の利用者ＩＤを通知すると共に前記サービス利用者から支払われた利用料の中から所定の手数料を支払う処理を含むことを特徴とする。
【００１６】
また、上記のような仲介手数料の振向け自動判定方法を実現するためにサービス仲介者のウェブサーバに実行させるコンピュータプログラムは、（ａ）複数のサービス提供者をウェブページ上で紹介し、該ウェブページにアクセスして特定のサービス提供者による情報提供ウェブサービスを希望するサービス利用者に対して利用者ＩＤを発行し、該利用者ＩＤは前記サービス提供者の識別コード、前記サービス仲介者の識別コード及び前記サービス利用者によって指定されたサービス提供者に至る他のサービス仲介者の識別コードを順番に含み、（ｂ）前記サービス提供者又は上位のサービス仲介者から手数料の支払いと共に通知された利用者ＩＤに下位のサービス仲介者の識別コードが含まれるか否かをチェックし、含まれる場合は該識別コードのサービス仲介者に対して前記サービス利用者の利用者ＩＤを通知すると共に前記サービス提供者又は上位のサービス仲介者から支払われた手数料の中から所定の手数料を支払う処理を含むことを特徴とする。
【００１７】
このようなコンピュータプログラムは、例えばＣＤ−ＲＯＭのようなコンピュータ読み取り可能な記録媒体に記録された状態で供給され、記録媒体からコンピュータにインストールされ実行される。あるいはネットワークに接続されたサーバ等の他のコンピュータからダウンロードしてインストールし、又は逐次実行することも可能である。
【００１８】
【発明の実施の形態】
以下、本発明の実施形態を図面に基づいて説明する。
【００１９】
図１は、本発明の実施形態に係るＣＡＤデータ変換ウェブサービス（情報提供ウェブサービスの一種）の概要を示す全体構成図である。図１の構成では、インターネットに接続されたウェブサーバを用いてＣＡＤデータ変換ウェブサービスを提供するサービス提供者のウェブサーバ１Ａ，１Ｂ，１Ｃと、ＣＡＤデータ変換ウェブサービスを利用してＣＡＤデータの変換を希望するサービス利用者の端末３Ａ，３Ｂ，３Ｃと、サービス利用者及びサービス提供者の間でＣＡＤデータ変換ウェブサービスの仲介を行うサービス仲介者のウェブサーバ２Ａ，２Ｂ，２Ｃとが相互にインターネットを介してデータ通信を行う。
【００２０】
なお、以下の説明において、サービス提供者のウェブサーバを単にサービス提供者と記す場合がある。また、その参照番号１Ａ，１Ｂ，１Ｃを単に１で表す場合がある。同様に、サービス利用者の端末を単にサービス利用者と記し、その参照番号３Ａ，３Ｂ，３Ｃを３で表す場合がある。サービス仲介者のウェブサーバ２Ａ，２Ｂ，２Ｃについても同様である。
【００２１】
図１の構成では便宜上、３つのグループＧＡ，ＧＢ，ＧＣに分かれ、それぞれのグループ内で、サービス提供者１、サービス利用者３及びサービス仲介者２の三者間で登録、検索及び利用の関係が成立している。すなわち、サービス提供者１はサービス仲介者２のウェブサイトに登録しておくことにより、サービス仲介者２のウェブサイトにアクセスしたサービス利用者３が検索によってサービス提供者１を見出し、そのＣＡＤデータ変換ウェブサービスを利用することができるようになる。サービス仲介者２は、サービス提供者１から支払われる登録料及び紹介料によってサービス仲介用のウェブサイトを運営することができる。サービス提供者１は、サービス利用者３から支払われた利用料の中からあらかじめ定められた額（又は率）の紹介料をサービス仲介者２に支払うことになる。
【００２２】
また、サービス利用者３（３Ａ，３Ｂ，３Ｃ）は互いにサービス提供者１の情報を共有し合うことによって、自らのウェブサイトを検索用のポータルサイトとするサービス利用者に対して、他のグループに属する（換言すれば、自らのウェブサイトに登録されていない）サービス提供者の情報を提供（紹介）することができるようになる。
【００２３】
しがって、例えばサービス利用者３Ａがサービス提供者１ＢのＣＡＤデータ変換ウェブサービスを利用する場合は、２つのサービス仲介者２Ａ及び２Ｂが介在することになる。この場合は、サービス利用者３Ａからサービス提供者１Ｂに支払われた利用料の一部が紹介料としてサービス仲介者２Ｂに支払われ、さらにその一部が仲介料としてサービス仲介者２Ａに支払われることになる。なお、図１では、サービス提供者１からサービス仲介者２（１次サービス仲介者）に支払われる手数料を紹介料と記し、サービス仲介者２間で支払われる手数料を仲介料と記しているが、特に区別する必要はない。まとめて手数料又は仲介手数料という場合もある。
【００２４】
本実施形態のＣＡＤデータ変換ウェブサービスでは、上記のような手数料（紹介料及び仲介料）の支払いがサービス提供者のウェブサーバ１及びサービス仲介者のウェブサーバ２が実行するプログラムによって適切かつ自動的に実行される。
【００２５】
図２は、サービス提供者又はサービス仲介者のウェブサーバのハードウェア構成の一例を示すブロック図である。ウェブサーバ１，２は、コンピュータシステムを用いて構成され、ネットワーク（インターネット）４への接続機能を有する。ウェブサーバ１、２には、ＣＡＤデータ変換ウェブサービス又はその仲介サービスを提供するための専用プログラムがインストールされる。この専用プログラムは、例えばＣＤ−ＲＯＭ（光ディスク）のような記録媒体６に記録された状態で供給され、読取装置７を介してコンピュータ本体１０の補助記憶装置（ＨＤＤ）１３にインストールされる。
【００２６】
補助記憶装置１３にインストールされた専用プログラムは主メモリ１２にロードされ、処理装置１４によって実行される。コンピュータ本体１０は、主メモリ１２、補助記憶装置１３及び処理装置１４の他に、入力処理部１５ａ、表示処理部１６ａ及び通信部１７を備えている。入力処理部１５ａにはキーボード、マウス等の入力装置１５が接続され、表示処理部１６ａにはＣＲＴ（陰極線管）、ＬＣＤ（液晶表示装置）等の表示装置１６が接続されている。通信部１７は、ネットワーク（インターネット）４に接続され、ネットワーク４を介して他のサービス提供者のウェブサーバ１、サービス仲介者のウェブサーバ２、サービス利用者の端末３等に接続されている。
【００２７】
サービス利用者の端末３は、一般的なパーソナルコンピュータ等で構成され、ネットワーク（インターネット）４への接続機能及びウェブページ閲覧用のブラウザ（ソフトウェア）を備えている。前述のように、サービス利用者は端末３を用いてポータルサイト（サービス仲介者のウェブページ）にアクセスし、ＣＡＤデータ変換ウェブサービスを利用するための最適のサービス提供者を検索する。
【００２８】
以下の説明では、サービス提供者のウェブサーバ１又はサービス仲介者のウェブサーバ２にインストールされ実行される専用プログラムのうち、手数料の適切かつ自動的な支払いに関連する処理について述べる。
【００２９】
図３は、サービス提供者のウェブサーバ１が実行する手数料の支払いに関する処理のフローチャートである。後述するサービス仲介者２の処理によって利用者ＩＤを付与されたサービス利用者３がＣＡＤデータ変換ウェブサービスの利用を求めてサービス提供者１のウェブページにアクセスすると、そのウェブサーバ１はステップ＃１０１においてサービス利用者３から利用者ＩＤを取得する。
【００３０】
次のステップ＃１０２において、利用者ＩＤのうちのサービスコード（提供製品コード）を取得し、続くステップ＃１０３においてサービスコードに該当する利用料を求める。例えば、該当サービスコードの提供価格表から利用料を求める。
【００３１】
次のステップ＃１０４において、利用者ＩＤのうちの１次サービス仲介者の識別コードを取得する。この１次サービス仲介者は、サービス利用者３が最初にアクセスしたポータルサイトのサービス仲介者であり、サービス利用者３に利用者ＩＤを付与したサービス仲介者でもある。
【００３２】
次のステップ＃１０５において、１次サービス仲介者へ支払う紹介料（手数料）を算出する。紹介料の金額をあらかじめ定めておいてもよいが、通常は後述の例に示すように、利用料に所定の率（例えば３％）を乗じて得られた金額を紹介料（手数料）とする。
【００３３】
最後のステップ＃１０６において、１次サービス仲介者へ利用者ＩＤを通知すると共に、前のステップで算出した紹介料の支払いを実行する。紹介料の支払いは実際には、紹介料の金額を１次サービス仲介者に通知し、その金員を１次サービス仲介者の口座に入金する処理となる。これで手数料の支払いに関するサービス提供者のウェブサーバ１の処理を終了する。
【００３４】
図４は、サービス仲介者２がサービス利用者３に付与する（発行する）利用者ＩＤ２０の構成例を示す図表である。サービス仲介者２は、複数のサービス提供者１をウェブページ上で紹介し、該ウェブページにアクセスして特定のサービス提供者１による情報提供ウェブサービスを希望するサービス利用者３に対して利用者ＩＤ２０を発行する。この利用者ＩＤ２０は、図４に示すように、サービス提供者の識別コード（提供者コード）３０、サービス利用者の識別コード（利用者コード）３１及びサービス内容を示すコード（サービスコード）３２の他に１次サービス仲介者の識別コード（１次仲介者コード）２１を含み、更に２次以降のサービス仲介者がある場合はそれらの識別コード（２次仲介者コード、・・・・）２２，・・・・を所定の順番で含んでいる。
【００３５】
１次、２次、・・・のサービス仲介者の識別コードを利用者ＩＤに含めて管理することにより、サービス利用者３に紹介されたサービス提供者１のＣＡＤデータ変換ウェブサービスがどのサービス仲介者２を経由して紹介されたかを利用者ＩＤのチェックによって確実に知ることが可能となる。
【００３６】
利用者ＩＤの全体の長さが長くなりすぎると利用しにくくなるので、各サービス仲介者２の識別コード（仲介者コード）を英数字で２桁程度に定める。英数字２桁のコードでも１２２５のサービス仲介者を識別することが可能である。サービス提供者１の識別コードについても、英数字２桁程度に定めることが好ましい。１２２５のサービス提供者１を識別することができれば通常は間に合うと考えられる。
【００３７】
サービス提供者のウェブサーバ１は、上述のように、利用者ＩＤのうちの１次サービス仲介者の識別コード（１次仲介者コード）をチェックすることによって、１次サービス仲介者に対する紹介料の支払いを適切かつ自動的に実行することができる。また、サービス仲介者のウェブサーバ２は、利用者ＩＤのうちの下位のサービス仲介者の識別コード（１次サービス仲介者の場合は２次サービス仲介者の識別コード）の有無をチェックすることにより、下位のサービス仲介者に対して手数料（仲介料）を支払う必要があるか否かを知ることができる。
【００３８】
図５は、サービス仲介者のウェブサーバ２が実行する手数料の支払いに関する処理のフローチャートである。サービス仲介者のウェブサーバ２は、ステップ＃２０１でサービス提供者又は上位のサービス仲介者のウェブサーバから通知された利用者ＩＤ及び手数料（紹介料又は仲介料）の金額を取得する。
【００３９】
次のステップ＃２０２において、サービス仲介者のウェブサーバ２は利用者ＩＤのうちの下位のサービス仲介者の識別コード（１次サービス仲介者の場合は２次サービス仲介者の識別コード）の有無をチェックする。下位の仲介者コードがない場合（ステップ＃２０３のＮｏ）は、仲介料を支払うべき下位のサービス仲介者がいないことが分かるので、処理を終了する。
【００４０】
下位の仲介者コードがある場合（ステップ＃２０３のＹｅｓ）は、ステップ＃２０４において、下位のサービス仲介者に支払う手数料（仲介料）を算出する。例えば、ステップ＃２０１でサービス提供者又は上位のサービス仲介者から通知された（支払われた）手数料金額に所定の率（例えば５０％）を乗じて得られた金額を下位のサービス仲介者に支払う手数料とする。
【００４１】
最後のステップ＃２０５において、サービス仲介者のウェブサーバ２は下位のサービス仲介者に利用者ＩＤを通知すると共に、ステップ＃２０４で算出した手数料を支払う処理を実行する。実際には手数料の金額を下位のサービス仲介者に通知し、その金員を下位のサービス仲介者の口座に入金する処理となる。これをもって手数料の支払いに関するサービス仲介者のウェブサーバ２の処理を終了する
次に、再び図１を参照しながら、具体的な例による説明を加える。図１において、サービス利用者３Ａはポータルサイトであるサービス仲介者２Ａのウェブページにアクセスし、ＣＡＤデータ変換ウェブサービスに関する検索を行う。その結果、サービス提供者１Ｂの提供するＣＡＤデータ変換ウェブサービスが最適であると判断し、そのサービスを選択する。
【００４２】
このとき、サービス仲介者２Ａは、サービス利用者３Ａに対して利用者ＩＤ「Ｃ１Ｂ１ＴＤ１ＡＡ０１ＡＡＡ」を発行（付与）する。ここで、図４を参照しながら説明した利用者ＩＤの構成例にしたがい、利用者ＩＤ「Ｃ１Ｂ１ＴＤ１ＡＡ０１ＡＡＡ」のうちの前から２文字分のコード「Ｃ１」が１次サービス仲介者２Ｂの識別コードを表し、続く２文字分のコード「Ｂ１」が２次サービス仲介者の識別コード２Ａを表し、続く３文字分のコード「ＴＤ１」がサービス提供者１Ｂの識別コードを表し、続く４文字分のコード「ＡＡ０１」がサービス利用者３Ａの識別コードを表し、最後の３文字分のコード「ＡＡＡ］がサービスコードを表している。
【００４３】
上記の利用者ＩＤから分かるように、サービス利用者３Ａ（利用者コードＡＡ０１）が選択したＣＡＤデータ変換ウェブサービスは、ポータルサイトのサービス仲介者２Ａ以外のサービス仲介者２Ｂのウェブサイトに登録されているサービスであり、サービス仲介者２Ａのウェブサイトは、サービス仲介者２Ｂのウェブサイトから得た情報に基づいてそのＣＡＤデータ変換ウェブサービスを提示（紹介）している。
【００４４】
サービス利用者３Ａは、サービス仲介者２Ａから付与された上記の利用者ＩＤを用いてサービス提供者１Ｂのウェブサイトにアクセスし、所望のＣＡＤデータ変換ウェブサービスを利用する。その利用料として１００，０００円をサービス提供者１Ｂに支払ったとする。
【００４５】
サービス提供者１Ｂのウェブサーバは、サービス利用者３Ａから支払われた利用料１００，０００円の中から、規定にしたがって３％に相当する３，０００円の手数料（紹介料）を算出し、サービス利用者３Ａの利用者ＩＤに含まれる１次仲介者コードのサービス仲介者２Ｂにその手数料を支払うと共に利用者ＩＤをサービス仲介者２Ｂに通知する。
【００４６】
サービス仲介者２Ｂのウェブサーバは、通知された利用者ＩＤに下位の（２次）仲介者コードがあることをチェックし、サービス提供者１Ｂから支払われた手数料３，０００円の中から、規定にしたがって５０％に相当する１，５００円の２次手数料（紹介料）算出する。そして、下位の（２次）仲介者コードに該当するサービス仲介者２Ａに対して、その２次手数料１，５００円を支払うと共に利用者ＩＤを通知する。
【００４７】
サービス仲介者２Ａのウェブサーバは、通知された利用者ＩＤに下位の仲介者コードが見当たらないので、仲介料を支払うべき下位のサービス仲介者が存在しないと判断する。その結果、サービス仲介者２Ｂから支払われた２次手数料１，５００円の全額を自らの手数料として処理する。
【００４８】
以上のようにして、サービス利用者３がサービス提供者１に支払った利用料の中から紹介料又は仲介料に相当する手数料がサービス仲介者２に対して適切かつ自動的に支払われ、複数のサービス仲介者２が介在している場合は、上位のサービス仲介者２から下位のサービス仲介者２へリレー式に手数料が支払われる。
【００４９】
なお、上記の実施形態で示した具体的な処理内容や手数料の算出に用いた率（％）及び金額等は一例に過ぎない。また、上記の実施形態では情報提供ウェブサービスの一種であるＣＡＤデータ変換ウェブサービスを例にとって説明したが、本発明はこれに限定されず種々の情報提供ウェブサービスの仲介手数料の振向けに適用することが可能である。
【００５０】
（付記１）ネットワークに接続されたウェブサーバを用いて情報提供ウェブサービスを行うサービス提供者と前記情報提供ウェブサービスを利用するサービス利用者との間に、前記情報提供ウェブサービスの仲介を行うサービス仲介者が介在する場合に、前記サービス利用者が支払う利用料の中から紹介料又は仲介料に相当する手数料を適切に前記サービス仲介者に支払うための方法であって、
（ａ）前記サービス利用者が端末を用いてアクセスしたサービス仲介者のサーバは、前記サービス利用者に適切なサービス提供者の情報と利用者ＩＤを送信し、該利用者ＩＤは前記サービス提供者の識別コード及び前記サービス仲介者の識別コードを含み、
（ｂ）前記サービス利用者が紹介されたサービス提供者のウェブサイトに端末を用いてアクセスし、前記利用者ＩＤを用いて所望の情報提供ウェブサービスを利用すると共に利用料を支払った際に、前記サービス提供者のサーバは、前記サービス利用者の利用者ＩＤに含まれる前記サービス仲介者の識別コードをチェックし、該識別コードのサービス仲介者のサーバに対して前記サービス利用者の利用者ＩＤを通知すると共に前記サービス利用者から支払われた利用料の中から所定の手数料を支払う処理を実行することを特徴とする情報提供ウェブサービスの仲介手数料の振向け自動判定方法。
（付記２）ネットワークに接続されたウェブサーバを用いて情報提供ウェブサービスを行うサービス提供者と前記情報提供ウェブサービスを利用するサービス利用者との間に、前記情報提供ウェブサービスの仲介を行うサービス仲介者が１又は複数介在する場合に、前記サービス利用者が支払う利用料の中から紹介料又は仲介料に相当する手数料を適切に前記１又は複数のサービス仲介者に支払うための方法であって、
（ａ）前記サービス利用者が端末を用いてアクセスした１次サービス仲介者のサーバは、前記サービス利用者に適切なサービス提供者の情報と利用者ＩＤを送信し、該利用者ＩＤは前記サービス提供者の識別コード、前記１次サービス仲介者の識別コード及び２次以降のサービス仲介者の識別コードを所定の順番に含み、
（ｂ）前記サービス利用者が紹介されたサービス提供者のウェブサイトに端末を用いてアクセスし、前記利用者ＩＤを用いて所望の情報提供ウェブサービスを利用すると共に利用料を支払った際に、前記サービス提供者のサーバは、前記サービス利用者の利用者ＩＤに含まれる前記１次サービス仲介者の識別コードをチェックし、該識別コードの１次サービス仲介者のサーバに対して前記サービス利用者の利用者ＩＤを通知すると共に前記サービス利用者から支払われた利用料の中から所定の手数料を支払う処理を実行し、
（ｃ）前記１次サービス仲介者のサーバは、通知されたサービス利用者の利用者ＩＤに２次サービス仲介者の識別コードが含まれるか否かをチェックし、含まれる場合は該識別コードの２次サービス仲介者のサーバに対して前記サービス利用者の利用者ＩＤを通知すると共に前記サービス提供者から支払われた手数料の中から所定の手数料を支払う処理を実行し、
（ｄ）前記サービス利用者の利用者ＩＤを通知された２次以降のサービス仲介者のサーバは、前記ステップ（ｃ）に準ずる処理によって、下位のサービス仲介者のサーバに対して前記サービス利用者の利用者ＩＤを通知すると共に上位のサービス仲介者から支払われた手数料の中から所定の手数料を支払う処理を実行することを特徴とする情報提供ウェブサービスの仲介手数料の振向け自動判定方法。
（付記３）前記情報提供ウェブサービスは、ＣＡＤデータの変換をウェブサーバを用いて行うＣＡＤデータ変換ウェブサービスであることを特徴とする付記１又は２記載の情報提供ウェブサービスの仲介手数料の振向け自動判定方法。
（付記４）ネットワークに接続されたウェブサーバを用いて情報提供ウェブサービスを行うサービス提供者のウェブサーバに実行させるコンピュータプログラムであって、
（ａ）前記情報提供ウェブサービスの利用を希望するサービス利用者の利用者ＩＤに含まれるサービスコードに基づいて所定の情報提供サービスを実行すると共にその利用料を算出して前記サービス利用者に請求し、
（ｂ）前記利用者ＩＤに含まれる前記サービス仲介者の識別コードをチェックし、該識別コードのサービス仲介者に対して前記サービス利用者の利用者ＩＤを通知すると共に前記サービス利用者から支払われた利用料の中から所定の手数料を支払う処理を含むことを特徴とするコンピュータプログラム。
（付記５）ネットワークに接続されたウェブサーバを用いて情報提供ウェブサービスを行うサービス提供者と前記情報提供ウェブサービスを利用するサービス利用者との間に介在して前記情報提供ウェブサービスの仲介を行うサービス仲介者のウェブサーバに実行させるコンピュータプログラムであって、
（ａ）複数のサービス提供者をウェブページ上で紹介し、該ウェブページにアクセスして特定のサービス提供者による情報提供ウェブサービスを希望するサービス利用者に対して利用者ＩＤを発行し、該利用者ＩＤは前記サービス提供者の識別コード、前記サービス仲介者の識別コード及び前記サービス利用者によって指定されたサービス提供者に至る他のサービス仲介者の識別コードを順番に含み、
（ｂ）前記サービス提供者又は上位のサービス仲介者から手数料の支払いと共に通知された利用者ＩＤに下位のサービス仲介者の識別コードが含まれるか否かをチェックし、含まれる場合は該識別コードのサービス仲介者に対して前記サービス利用者の利用者ＩＤを通知すると共に前記サービス提供者又は上位のサービス仲介者から支払われた手数料の中から所定の手数料を支払う処理を含むことを特徴とするコンピュータプログラム。
（付記６）前記情報提供ウェブサービスは、ＣＡＤデータの変換をウェブサーバを用いて行うＣＡＤデータ変換ウェブサービスであることを特徴とする付記４又は５記載のコンピュータプログラム。
【００５１】
（付記７）ネットワークに接続されたウェブサーバを用いて情報提供ウェブサービスを行うサービス提供者のウェブサーバに実行させるコンピュータプログラムが記録されたコンピュータ読み取り可能な記録媒体であって、前記コンピュータプログラムが、
（ａ）前記情報提供ウェブサービスの利用を希望するサービス利用者の利用者ＩＤに含まれるサービスコードに基づいて所定の情報提供サービスを実行すると共にその利用料を算出して前記サービス利用者に請求し、
（ｂ）前記利用者ＩＤに含まれる前記サービス仲介者の識別コードをチェックし、該識別コードのサービス仲介者に対して前記サービス利用者の利用者ＩＤを通知すると共に前記サービス利用者から支払われた利用料の中から所定の手数料を支払う処理を含むことを特徴とする記録媒体。
【００５２】
（付記８）ネットワークに接続されたウェブサーバを用いて情報提供ウェブサービスを行うサービス提供者と前記情報提供ウェブサービスを利用するサービス利用者との間に介在して前記情報提供ウェブサービスの仲介を行うサービス仲介者のウェブサーバに実行させるコンピュータプログラムが記録されたコンピュータ読み取り可能な記録媒体であって、前記コンピュータプログラムが、
（ａ）複数のサービス提供者をウェブページ上で紹介し、該ウェブページにアクセスして特定のサービス提供者による情報提供ウェブサービスを希望するサービス利用者に対して利用者ＩＤを発行し、該利用者ＩＤは前記サービス提供者の識別コード、前記サービス仲介者の識別コード及び前記サービス利用者によって指定されたサービス提供者に至る他のサービス仲介者の識別コードを順番に含み、
（ｂ）前記サービス提供者又は上位のサービス仲介者から通知された利用者ＩＤに下位のサービス仲介者の識別コードが含まれるか否かをチェックし、含まれる場合は該識別コードのサービス仲介者に対して前記サービス利用者の利用者ＩＤを通知すると共に前記サービス提供者又は上位のサービス仲介者から支払われた手数料の中から所定の手数料を支払う処理を含むことを特徴とする記録媒体。
【００５３】
（付記９）前記情報提供ウェブサービスは、ＣＡＤデータの変換をウェブサーバを用いて行うＣＡＤデータ変換ウェブサービスであることを特徴とする付記４又は５記載の記録媒体。
【００５４】
【発明の効果】
以上に説明したように、本発明の情報提供ウェブサービスの仲介手数料の振向け自動判定方法及びコンピュータプログラムによれば、サービス利用者にサービス利用の都度付与される利用者ＩＤに１又は複数のサービス仲介者の識別コードが含められ、この利用者ＩＤがサービス利用者からサービス提供者及び各サービス仲介者に順次通知されることにより、サービス利用者がサービス提供者に支払った利用料の中から所定の手数料が各サービス仲介者に適切かつ自動的に支払われる。したがって、サービス提供者にとって手数料を支払うべきサービス仲介者を特定することが困難な状況やサービス仲介者にとって所定の手数料を受け取ることができないといった状況の発生が回避される。
【図面の簡単な説明】
【図１】本発明の実施形態に係るＣＡＤデータ変換ウェブサービスの概要を示す全体構成図である。
【図２】サービス提供者又はサービス仲介者のウェブサーバのハードウェア構成の一例を示すブロック図である。
【図３】サービス提供者のウェブサーバが実行する手数料の支払いに関する処理のフローチャートである。
【図４】サービス仲介者がサービス利用者に付与する利用者ＩＤの構成例を示す図表である。
【図５】サービス仲介者のウェブサーバが実行する手数料の支払いに関する処理のフローチャートである。
【符号の説明】
１（１Ａ，１Ｂ，１Ｃ）　サービス提供者（又はそのウェブサーバ）
２（２Ａ，２Ｂ，２Ｃ）　サービス仲介者（又はそのウェブサーバ）
３（３Ａ，３Ｂ，３Ｃ）　サービス利用者（又はその端末）
４　ネットワーク（インターネット）
６　記録媒体
７　読取装置
２０　利用者ＩＤ
【図１】
2004118632.tif 000003
【図２】
2004118632.tif 000004
【図３】
2004118632.tif 000005
【図４】
2004118632.tif 000006
【図５】
2004118632.tif 000007